(57)【特許請求の範囲】
【請求項１】
着用者の身体前側と身体後側とに延びる前後方向と、前記前後方向に直交する幅方向と、前記着用者に向かう内方向と、前記内方向と反対側に向かう外方向と、を有し、
前記着用者の股間部に当てられる股下領域と、前記股下領域の前方に配置され、前記着用者の胴回りに当てられる前胴回り領域と、前記股下領域の後方に配置され、前記着用者の胴回りに当てられる後胴回り領域と、を備える吸収性物品であって、
少なくとも前記股下領域の幅方向中央に配置される吸収体と、
前記吸収体よりも前記外方向に配置され、前記吸収性物品の非肌当接側の面に配置される外装体と、を有しており、
前記股下領域には、前記着用者の脚回りに沿って配置される脚回り開口部が形成されており、
前記外装体は、前記吸収体よりも幅方向外側において前記脚回り開口部の一部を形成する縁部を有しており、
前記吸収体の後側端部は、前記股下領域内に位置しており、
前記外装体には、前記後胴回り領域において前記幅方向に伸縮する胴回り弾性材と、少なくとも一部が前記脚回り開口部に沿って伸縮する脚回り弾性材と、が配置されており、
前記脚回り弾性材は、前記吸収体よりも前記幅方向外側において、幅方向中央に向かうにつれて前記前後方向内側に向かって延びる一対の第１伸縮部と、前記一対の第１伸縮部間において、前記吸収体が配置された吸収体配置領域内に位置する第２伸縮部と、を有しており、
前記外装体の縁部は、前記前後方向内側に向かうにつれて、前記幅方向外側から幅方向内側に向かって前記吸収体の幅方向端部を跨がって延びており、
前記股下領域には、前記幅方向に伸縮する股下弾性材が配置されており、
前記股下弾性材の伸長応力は、前記脚回り弾性材の伸長応力よりも低く、かつ前記胴回り弾性材の伸長応力よりも低い、吸収性物品。
【請求項２】
前記第２伸縮部は、少なくとも一部が切断されている、請求項１に記載の吸収性物品。
【請求項３】
前記吸収体の保水量は、３００ｇ以上である、請求項１又は請求項２に記載の吸収性物品。
【請求項４】
前記股下領域には、前記吸収体の前記幅方向における両端部をそれぞれ前後方向に収縮する側部弾性材が配置されており、
前記側部弾性材の後側端部と前記脚回り弾性材は、平面視において重なっている、請求項１から請求項３のいずれかに記載の吸収性物品。
【請求項５】
前記股下領域の幅方向中央には、前記吸収体が前記内方向に凸に曲がることができるように中央曲部が形成されている、請求項１から請求項４のいずれかに記載の吸収性物品。
【請求項６】
前記股下領域の幅方向中央よりも幅方向外側には、前記吸収体が前記外方向に凸に曲がることができるように一対のサイド曲部が形成されている請求項１から請求項５のいずれかに記載の吸収性物品。
【発明の詳細な説明】
【技術分野】
【０００１】
本発明は、使い捨ておむつ等の吸収性物品に関する。
【背景技術】
【０００２】
吸収性物品は、着用者の装着感を向上させるため、様々な工夫がなされている。例えば、特許文献１には、着用者の胴回りにフィットさせるための胴回りギャザーを有する吸収性物品としての使い捨てパンツであって、胴回りギャザーよりも股下側（前後方向内側）に吸収部材の前後方向端部を配置した使い捨てパンツが開示されている。
【０００３】
例えば、胴回りギャザーの一部が吸収部材と重なっていると、胴回りギャザーの伸縮力が部分的に異なり、使い捨てパンツが胴回りギャザーによって均等に収縮しないおそれがある。しかし、特許文献１に記載の使い捨てパンツは、吸収部材と胴回りギャザーとが重ならないように配置されているため、使い捨てパンツが胴回りギャザーによって均等に収縮し、着用者の胴回りのフィット性を向上させることができる。
【先行技術文献】
【特許文献】
【０００４】
【特許文献１】特許第２６９０８７０号公報（段落０００９、図１、及び図２等）
【発明の概要】
【発明が解決しようとする課題】
【０００５】
しかしながら、上述した使い捨てパンツにおいては、以下の問題があった。
【０００６】
着用者から排出された体液は、着用者の股下に当たるように配置された吸収部材によって吸収される。しかし、吸収部材が着用者に密着していないと、吸収部材の表面を伝って体液が拡散し、体液が漏れてしまうことがある。
【０００７】
特に、特許文献１の使い捨てパンツは、胴回りギャザーと吸収部材とが重なって配置されていないため、吸収部材が胴回りギャザーによって着用者側に引き上げられない。よって、着用者と吸収部材との間に隙間が生じ、吸収部材の表面を伝って体液が拡散し、体液の漏れが発生するおそれがある。
【０００８】
また、特許文献１の吸収部材は、股下領域よりも前後方向外側に延びて配置される吸収部材と比較して前後方向の長さが短いため、比較的吸収性能が低い。よって、吸収部材が着用者に密着している場合であっても、大量の体液が排出された際に体液の漏れが生じるおそれがある。
【０００９】
そこで、本発明は、着用者の胴回りのフィット性を高めつつ、吸収性能及び股下領域のフィット性を向上させて、体液の漏れを防止することができる吸収性物品を提供することを目的とする。
【課題を解決するための手段】
【００１０】
本発明に係る使い捨ておむつは、着用者の身体前側と身体後側とに延びる前後方向（前後方向Ｌ）と、前記前後方向に直交する幅方向（幅方向Ｗ）と、着用者に向かう内方向(内方向ＩＮ)と、前記内方向と反対側に向かう外方向（外方向ＯＵＴ）とを有し、前記着用者の股間部に当てられる股下領域（股下領域Ｓ３）と、前記股下領域の前方に配置され、前記着用者の胴回りに当てられる前胴回り領域（前胴回り領域Ｓ１）と、前記股下領域の後方に配置され、前記着用者の胴回りに当てられる後胴回り領域（後胴回り領域Ｓ２）と、を備える吸収性物品であって、少なくとも前記股下領域の幅方向中央に配置される吸収体（吸収体４０）と、前記吸収体よりも前記外方向に配置され、前記吸収性物品の非肌当接側の面に配置される外装体（外装体１Ｂ）と、を有しており、前記股下領域には、前記着用者の脚回りに沿って配置される脚回り開口部（脚回り開口部９）が形成されており、前記外装体は、前記股下領域において前記吸収体よりも幅方向外側において前記脚回り開口部の一部を形成する縁部（縁部７）を有しており、前記吸収体の後側端部は、前記股下領域内に位置しており、前記外装体には、前記後胴回り領域において前記幅方向に伸縮する胴回り弾性材（ウエスト弾性材３Ａ）と、少なくとも一部が前記脚回り開口部に沿って伸縮する脚回り弾性材（前脚回り弾性材５Ｆ、後脚回り弾性材５Ｒ）と、が配置されており、前記脚回り弾性材は、前記吸収体よりも前記幅方向外側において、幅方向中央に向かうにつれて前記前後方向内側に向かって延びる一対の第１伸縮部（第１伸縮部５１）と、前記一対の第１伸縮部間において、前記吸収体が配置された吸収体配置領域内に位置する第２伸縮部（第２伸縮部５２）と、を有しており、前記外装体の縁部は、前記前後方向内側に向かうにつれて、前記幅方向外側から幅方向内側に向かって前記吸収体の幅方向端部を跨がって延びていることを要旨とする。
【発明の効果】
【００１１】
本開示に係る特徴によれば、着用者の胴回りのフィット性を高めつつ、吸収性能及び股下領域のフィット性を向上させて、体液の漏れを防止することができる吸収性物品を提供することができる。
【図面の簡単な説明】
【００１２】
【図１】実施の形態に係る使い捨ておむつの概略斜視図である。
【図２】実施の形態に係る使い捨ておむつの展開平面図である。
【図３】図２に示すＸ１-Ｘ’１線に沿った使い捨ておむつの幅方向断面図である。
【図４】図２に示すＸ２-Ｘ’２線に沿った使い捨ておむつの前後方向断面図である。
【図５】図２に示す展開平面図における脚回り開口部の部分拡大図である。
【図６】実施の形態に係る吸収体の平面図である。
【図７】実施の形態に係る吸収体の分解斜視図である。
【図８】実施の形態に係る使い捨ておむつの着用状態を模式的に示すＸ１-Ｘ’１線に沿った断面図である。
【図９】変形例に係る使い捨ておむつの展開平面図である。
【図１０】図９に示すＸ３-Ｘ’３線に沿った使い捨ておむつの前後方向断面図である。
【発明を実施するための形態】
【００１３】
次に、実施の形態に係る吸収性物品としての使い捨ておむつの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれ得る。
【００１４】
本実施形態に係る使い捨ておむつは、股下領域において吸収体よりも幅方向外側に延出する外装体の縁部が脚回り開口部の一部を形成しており、吸収体の後側端部は、胴回り弾性材と重ならないように股下領域内に位置しており、吸収体が配置された吸収体配置領域では、外装体の幅方向端部が吸収体の幅方向端部よりも幅方向内側に位置し、かつ脚回り弾性材の一部が配置されていることを特徴とする。
【００１５】
（１）使い捨ておむつの全体概略構成
図１は、本実施形態において吸収性物品を構成する使い捨ておむつ１の概略斜視図である。図２は、本実施形態に係る使い捨ておむつ１の展開平面図である。図３は、図２に示すＸ１−Ｘ’１線に沿った使い捨ておむつ１の幅方向断面図である。図４は、図２に示すＸ２−Ｘ’２線に沿った使い捨ておむつ１の前後方向断面図である。使い捨ておむつ１は、パンツ型の使い捨ておむつである。
【００１６】
使い捨ておむつ１は、着用者の身体前側と身体後側とに延びる前後方向Ｌと、前後方向Ｌに直交する幅方向Ｗと、着用者に向かう内方向ＩＮ及び内方向と反対側に向かう外方向ＯＵＴを有する厚み方向Ｔと、を有する。
【００１７】
使い捨ておむつ１は、図２に示すように、使い捨ておむつ１の前後方向Ｌにおいて、着用者の前胴回りに当てられる前胴回り領域Ｓ１と、着用者の後胴回りに当てられる後胴回り領域Ｓ２と、着用者の股下に当てられ、前胴回り領域Ｓ１と後胴回り領域Ｓ２との間に位置する股下領域Ｓ３と、を有する。股下領域Ｓ３は、着用者の股間部で脚を閉じたときに最も幅が狭くなる中央股下領域Ｓ３２と、中央股下領域Ｓ３２と前胴回り領域Ｓ１の間に位置する前股下領域Ｓ３１と、中央股下領域Ｓ３２と後胴回り領域Ｓ２の間に位置する後股下領域Ｓ３３と、を有する。
【００１８】
前胴回り領域Ｓ１の使い捨ておむつ１の一方の幅方向外側に位置する前胴回り縁部４が、後胴回り領域Ｓ２の一方の幅方向外側に位置する後胴回り縁部６と接合され、かつ他方の幅方向外側に位置する前胴回り縁部４’が、他方の幅方向外側に位置する後胴回り縁部６’と接合されることによって、使い捨ておむつ１がパンツ型に形成される。パンツ型の使い捨ておむつの前胴回り領域及び後胴回り領域には、互いの縁部が接合された接合部１１が形成されており、股下領域Ｓ３は、接合部１１よりも前後方向内側の領域である。
【００１９】
使い捨ておむつ１には、図１に示すように、パンツ型に形成された状態で、着用者の腰回りを囲んで配置される腰回り開口部８と、着用者の脚回りを囲んで配置される一対の脚回り開口部９と、が形成される。脚回り開口部９の構成については、後述にて詳細に説明する。
【００２０】
使い捨ておむつ１は、表面シート１０、吸収体４０及び吸収体裏面シート３０等を含む吸収性本体１Ａと、前側外装トップシート７０Ｆ、後側外装トップシート７０Ｒ及び外装バックシート８０等を含む外装体１Ｂと、から構成されており、これらは互いに、接着剤や熱融着などによって接合されている。
【００２１】
外装体１Ｂは、前側外装トップシート７０Ｆ、後側外装トップシート７０Ｒ、外装バックシート８０を含み、使い捨ておむつ１の外装部分を構成する。外装体１Ｂは、吸収体４０を含む吸収性本体１Ａよりも外方向ＯＵＴであって、使い捨ておむつの非肌当接側の面に配置される。前側外装トップシート７０Ｆは、前胴回り領域Ｓ１と前股下領域Ｓ３１とに跨がって配置されている。後側外装トップシート７０Ｒは、後胴回り領域Ｓ２と後股下領域Ｓ３３とに跨がって配置されている。前側外装トップシート７０Ｆと後側外装トップシート７０Ｒとは、前後方向に離間して配置されており、厚み方向において外装バックシート８０と、吸収性本体１Ａとの間に配置される。
【００２２】
前側外装トップシート７０Ｆ及び後側外装トップシート７０Ｒは、エアスルー不織布、スパンボンド不織布、ＳＭＳ不織布、防水フィルムなどによって形成できる。本実施形態に係る前側外装トップシート７０Ｆ及び後側外装トップシート７０Ｒは、ポリプロピレンからなる目付１５g/m2のSMS不織布によって形成されている。
【００２３】
外装バックシート８０は、着用時において外側に位置する、つまり、着用者の肌から離れる側に配置される。外装バックシート８０は、前胴回り領域Ｓ１から後胴回り領域Ｓ２に亘って配置されている。外装バックシート８０の前後方向端部は、肌当接面側に折り返され、前側外装トップシート７０Ｆ（又は後側外装トップシート７０Ｒ）の前後方向の外側端部を包むように配置される。
【００２４】
外装バックシート８０は、エアスルー不織布、スパンボンド不織布、ＳＭＳ不織布、防水フィルムなどによって形成できる。本実施形態に係る外装バックシート８０は、ポリプロピレンからなる目付１７g/m2のスパンボンド不織布によって形成されている。
【００２５】
吸収性本体１Ａは、表面シート１０、セカンドシート１５、吸収体裏面シート及び防漏部を含み、外装体１Ｂよりも着用者側に配置される。
【００２６】
表面シート１０は、着用者の肌に直接的に接し得る肌当接面を形成するシートである。表面シート１０は、吸収体４０よりも肌当接面側に配置される。表面シート１０は、親水性不織布や織物、開口プラスチックフィルム、開口疎水性不織布などの液透過性のシートによって形成されている。本実施の形態に係る表面シート１０は、ポリプロピレンからなる目付２３ｇ/ｍ２の親水性ポイントボンド不織布によって形成されている。
【００２７】
表面シート１０の非肌当接面側には、セカンドシート１５が接合されている。セカンドシート１５は、表面シート１０と吸収体４０との間に配置される。セカンドシート１５を設けることにより、体液の吸収速度を速くすることができ、かつ吸収後における体液の逆戻りを抑制することができる。
【００２８】
本実施の形態に係る表面シート１０とセカンドシート１５は、接着剤によって接合されている。セカンドシート１５は、例えば、エアスルー不織布や、開口フィルムなどが用いられる。本実施の形態のセカンドシート１５は、エアスルー不織布３０ｇ／ｍ２(親水性)によって形成されている。
【００２９】
吸収体４０は、表面シート１０とセカンドシート１５とが接合された複合シートと、吸収体裏面シート３０との間において、複合シートと吸収体裏面シートにホットメルト型接着剤によって接合される。ホットメルト型接着剤は、複合シート及び裏面シートにそれぞれ塗工され、例えば、スパイラル塗工方法により、それぞれ目付5g/m2，8g/m2で塗られる。
【００３０】
吸収体４０は、少なくとも股下領域Ｓ３の幅方向中央に配置される。吸収体４０の後側端部４０Ｒは、股下領域Ｓ３内に配置されており、吸収体４０の前側端部は４０Ｆ、前胴回り領域Ｓ１内に配置されている。吸収体の前側端部及び後側端部の両方が前胴回り領域及び後胴回り領域内に配置される形態と比較して、吸収体の前後方向の長さが短いため、吸収体のパルプの目付けを保ちつつ、パルプの重量を低減できる。パルプの目付けを保ちながらパルプ重量を低減することにより、体液の吸収スピードを損なわずに材料費を低減することができる。
【００３１】
なお、吸収体４０は、少なくとも後側端部４０Ｒが股下領域内に配置されていればよく、吸収体４０の前側端部４０は、前胴回り領域内に配置されていてもよいし、股下領域内に配置されていてもよい。
【００３２】
吸収体４０は、粉砕パルプや高吸収性ポリマーなどの混合粉体で形成される。吸収体４０は、着用者の非肌当接面側に位置する第１吸収層４１と、第１吸収層４１と重ねられ、かつ着用者の肌当接面側に位置する第２吸収層４２と、によって構成されている（図６参照）。
【００３３】
第１吸収層４１には、中央曲部を構成する中央スリットと、サイド曲部を構成するサイドスリットと、が形成されている。中央スリットは、第１吸収層の幅方向中央に形成され、サイドスリットは、中央スリットよりも幅方向の両外側に形成されている。吸収体４０に形成された中央スリットやサイドスリット等によって、使い捨ておむつ１が着用された際に吸収体４０が曲がるように構成されている。なお、吸収体の構造については、後述にて詳細に説明する。
【００３４】
吸収体裏面シート３０は、吸収体４０の非肌当接面側に設けられている。吸収体裏面シート３０は、液不透過性フィルムなど（例えば、ポリエチレン）のシートによって形成されている。吸収体裏面シート３０は、吸収体よりも外方向ＯＵＴに配置され、かつ液不透過性であり、液不透過性シートとして機能する。吸収体裏面シート３０は、吸収体４０よりも前後方向外側に延出して配置されている。
【００３５】
吸収体裏面シート３０の後側端部３０Ｒは、吸収体４０の後側端部４０Ｒよりも後方であって、股下領域Ｓ３内に配置されている。また、吸収体裏面シート３０の前側端部３０Ｆは、吸収体４０の前側端部４０Ｆよりも前方であって、前胴回り領域Ｓ１内に配置されている。
【００３６】
なお、吸収体裏面シート３０は、少なくとも吸収体４０の非肌当接面側に配置されていればよく、前後方向の位置は、本実施の形態の構成に限定されない。例えば、吸収体裏面シート３０の前側端部３０Ｆが前胴回り領域内に配置され、かつ吸収体裏面シート３０の後側端部３０Ｒが後胴回り領域内に配置されていてもよいし、吸収体裏面シート３０の前側端部３０Ｆが股下領域内に配置され、かつ吸収体裏面シート３０の後側端部３０Ｒが後胴回り領域内に配置されていてもよいし、吸収体裏面シート３０の前側端部３０Ｆが股下領域内に配置され、かつ吸収体裏面シート３０の後側端部３０Ｒが股下領域内に配置されていてもよいし、吸収体裏面シート３０の前側端部３０Ｆが前胴回り領域内に配置され、かつ吸収体裏面シート３０の後側端部３０Ｒが股下領域内に配置されていてもよい。
【００３７】
防漏部は、防漏サイドシート３２と、防漏弾性材３３と、を有し、吸収体４０の幅方向端部において前後方向に沿って配置されている。防漏サイドシート３２は、吸収体４０の幅方向Ｗの両側端において、表面シート１０、吸収体裏面シート３０を一体に包むように設けられる。防漏サイドシート３２は、液不透過性の不織布などのシートによって形成されている。防漏サイドシート３２の幅方向の一方の端部は、吸収体裏面シート３０の非肌面側の面に接合されており、防漏サイドシート３２の幅方向の他方の端部は、吸収体４０の幅方向側部から表面シート側に折り返され、表面シート１０の肌当接面側の面に接合されている。
【００３８】
防漏サイドシート３２は、ホットメルト接着剤によって表面シート等に接合されている。本実施形態では、ビード塗工によって目付０．１g/mでホットメルト型接着剤を複数本塗布した。また、防漏サイドシート３２は、疎水性の不織布シートを用いることができ、本実施形態では、ポリプロピレンの目付15g/m2のSMS不織布を用いた。
【００３９】
防漏弾性材３３は、吸収体裏面シート３０と防漏サイドシート３２と間に、伸長状態で貼りあわされている。防漏弾性材３３は、吸収体の幅方向における両端部をそれぞれ前後方向に収縮しており、側部弾性材として機能する。防漏弾性材の固定手段としては、ホットメルト型接着剤を例示できる。本実施の形態は、防漏弾性材３３としてスパンデックスを用い、Ｖスロット方式により直接塗工している。より、具体的には、防漏弾性材３３は、７８０ｄｔｅｘの太さ、２．３倍の伸長倍率で３本伸長固定される。
【００４０】
防漏弾性材３３は、後述するレッグギャザーと平面視で略連なるように配置されている。このように防漏弾性材とレッグギャザーを配置することにより、着用者の足繰りを囲むように締め付けることができ、脚繰りのフィット性が向上し、使い捨ておむつのズレや漏れの防止する効果が得られる。
【００４１】
前胴回り領域Ｓ１及び後胴回り領域Ｓ２には、ウエストギャザー３が設けられる。ウエストギャザー３は、吸収体４０の幅方向Ｗに沿って伸縮するように配設される合成ゴムなどの細長いウエスト弾性材３Ａを有する。ウエストギャザー３は、前胴回り領域Ｓ１における使い捨ておむつ１の幅方向Ｗ外側に位置する一方の前胴回り縁部４から他方の前胴回り縁部４‘まで連続し、後胴回り領域Ｓ２における使い捨ておむつ１の幅方向Ｗ外側に位置する一方の後胴回り縁部６から他方の前胴回り縁部６‘まで連続する。
【００４２】
ウエストギャザー３は、前胴回り領域Ｓ１及び後胴回り領域Ｓ２内に配置され、吸収体４０の後側端部４０Ｒは、股下領域Ｓ３内に配置されているため、前後方向においてウエストギャザー３と吸収体４０とが離間している。例えば、ウエストギャザー３と吸収体４０とが重なっていると、ウエストギャザー３の伸縮力が不均一となり、部分的に伸縮し過ぎたり、部分的に十分な伸縮力を得られなかったりすることがある。しかし、ウエストギャザー３と吸収体４０とが離間しているため、ウエストギャザー３の伸縮力のばらつきを抑えることができる。
【００４３】
脚回り開口部９の周囲には、レッグギャザー５が設けられる。レッグギャザー５の少なくとも一部は、脚回り開口部９に沿って配置されている。レッグギャザー５は、前胴回り領域Ｓ１に配置される前脚回り弾性材５Ｆと、後胴回り領域Ｓ２と股下領域Ｓ３とに跨がって配置される後脚回り弾性材５Ｒと、によって形成されている。
【００４４】
後脚回り弾性材５Ｒは、後胴回り領域Ｓ２から股下領域Ｓ３にかけて配置されており、後胴回り領域Ｓ２から股下領域Ｓ３に向かうにつれて幅方向内側に向かうように配置されている。前脚回り弾性材５Ｆは、前胴回り領域Ｓ１において、幅方向に沿って配置されている。
【００４５】
前脚回り弾性材５Ｆ及び後脚回り弾性材５Ｒは、図５に示すように、吸収体よりも幅方向外側において、幅方向中央に向かうにつれて前後方向内側に向かって延びる一対の第１伸縮部５１と、一対の第１伸縮部間において、吸収体が配置された吸収体配置領域内に位置する第２伸縮部と、をそれぞれ有している。第１伸縮部５１及び第２伸縮部５２が連動し、吸収体を着用者側に引き上げるように機能する。図５において、第１伸縮部５１が配置された領域と、第２伸縮部５２が配置された領域と、を一点鎖線で囲んで示す。
【００４６】
なお、前脚回り弾性材５Ｆ及び後脚回り弾性材５Ｒは、吸収体４０よりも幅方向外側と吸収体配置領域内の少なくとも一部に、第１伸縮部５１と第２伸縮部５２がそれぞれ配置されていればよく、必ずしも幅方向全域に連なって配置されていなくてもよい。例えば、第２伸縮部５２が、吸収体配置領域の幅方向中央において分断されていてもよいし、第１伸縮部５１が１箇所以上で分断されていてもよい。
【００４７】
しかし、前脚回り弾性材５Ｆ及び後脚回り弾性材５Ｒのうち少なくともいずれか一方は、吸収体の幅方向端部を跨がって配置されていることが望ましい。このような構成によれば、前脚回り弾性材５Ｆ及び／又は後脚回り弾性材５Ｒによって、吸収体を着用者側に引き上げることができる。
【００４８】
後股下領域Ｓ３３には、股下弾性材１２が配置されている。股下弾性材１２は、後脚回り弾性材５Ｒの前側端部と、ウエスト弾性材の前側端部との間において、幅方向Ｗに沿って伸縮するように配設されている。股下弾性材１２を設けることにより、ウエストギャザー３とレッグギャザー５との間の外装体１Ｂのたるみやよれを防止し、フィット性を高めることができる。特に、ウエストギャザー３とレッグギャザー５との前後方向の間には、吸収体の後側端部が配置されており、ウエストギャザーによってこの吸収体の後側端部の密着性を高め、体液の漏れを防止することができる。
【００４９】
前脚回り弾性材５Ｆは、前側外装トップシート７０Ｆと外装バックシート８０との間に配置され、後脚回り弾性材５Ｒは、後側外装トップシート７０Ｒと外装バックシート８０との間に配置されている。また、ウエスト弾性材３Ａは、前側外装トップシート７０Ｆ又は後側外装トップシート７０Ｒと、外装バックシート８０との間に接合されている。股下弾性材１２は、後側外装トップシート７０Ｒと外装バックシート８０との間に配置されている。
【００５０】
ウエスト弾性材３Ａ、前脚回り弾性材５Ｆ及び後脚回り弾性材５Ｒは、前側外装トップシート７０Ｆ又は後側外装トップシート７０Ｒと、外装バックシートに、伸長された状態で接着剤（例えばホットメルト型接着剤）によって固定されている。本実施形態では、ウエスト弾性材３Ａは、Vスロット方式でホットメルト型接着剤が塗工され、外装トップシートと外装バックシートとの間に接着固定される。前脚回り弾性材５Ｆ及び後脚回り弾性材５Ｒは、外装トップシート側にスパイラル方式でホットメルト型接着剤が塗工され、外装バックシート側にコントロールシーム方式でホットメルト型接着剤が塗工され、外装トップシートと外装バックシートとの間に接着固定される。股下弾性材１２は、Vスロット方式でホットメルト型接着剤が股下弾性材１２に直接塗工され、かつ外装バックシート側にコントロールシーム方式でホットメルト型接着剤が塗工され、後側外装トップシートと後側外装バックシートとの間に接着固定される。
【００５１】
ウエスト弾性材３Ａ、前脚回り弾性材５Ｆ及び後脚回り弾性材５Ｒは、スパンデックスによって構成されている。ウエスト弾性材３Ａは、腰回り開口部８近傍において、９４０ｄｔｅｘの太さ、３．５倍の伸長倍率でそれぞれ６本伸長固定され、かつ当該弾性材よりも前後方向内側において、７８０ｄｔｅｘの太さ、３．０倍の伸長倍率で前後それぞれ８本伸長固定される。前脚回り弾性材５Ｆ及び後脚回り弾性材５Ｒは、７８０ｄｔｅｘの太さ、１．５〜３．５倍の伸長倍率で３本伸長固定される。なお、ウエスト弾性材３Ａ、前脚回り弾性材５Ｆ及び後脚回り弾性材５Ｒの太さ、伸長倍率及び本数は、上記に限られず、種々設定することができる。股下弾性材１２は、７８０ｄｔｅｘの太さ、２．０倍の伸長倍率で５本伸長固定される。
【００５２】
なお、股下弾性材１２の伸長応力は、脚回り弾性材の伸長応力よりも低く、かつウエスト弾性材の伸長応力よりも低いことが望ましい。このような構成によれば、着用時に股下弾性材１２が配置された領域を身体のラインに沿って伸び易くし、ウエストギャザー３とレッグギャザー５との間の外装体１Ｂのたるみやよれを防止し、フィット性を高めることができる。
【００５３】
また、前脚回り弾性材５Ｆ及び後脚回り弾性材５Ｒの伸長応力は、第２伸縮部の伸長応力が、第１伸縮部の伸長応力よりも低いことが望ましい。このような構成によれば、吸収体４０が着用者側に引き上げられる際に、第１伸縮部よりも先に第２伸縮部が伸び易くなる。よって、脚回り開口部のラインに沿って引っ張る力が働きやすくなり、吸収体が引き上げられ易くなり、着用者の体に使い捨ておむつがフィットし、使い捨ておむつのズレや漏れを防止する効果が得られる。更に、第２伸縮部の伸長応力が第１伸縮部の伸長応力よりも低いことにより、第２伸縮部によって過剰に幅方向内側に引っ張られることを抑制し、第１伸縮部が適切に脚回り開口部に沿ってフィットし易くなる。
【００５４】
なお、弾性材の伸長応力は、例えば、次のようにして測定することができる。
【００５５】
（１）凸状部分を形成する弾性材を幅方向にすべて含むように、弾性材を挟み込んだ資材ごと切り出す。具体的には、本実施例に係る着用物品においては、５mm間隔で３本ずつ配置された股下弾性材、脚回り弾性材及びウエスト弾性材を挟み込んだ資材をたるみがないように伸長させた状態で、幅13mm×長さ100mmを切り出す。同じく伸長させた状態で長手方向両端部からそれぞれ１０mm内側にマーキングする。伸長応力の測定には、インスロンジャパンカンパニィリミテッド社製の引張り試験機（例えば、型式：5564）、又は株式会社島津製作所製オートグラフ（例えば、型式：AGS-1kNG）を使用した。
【００５６】
（２） （１）の試料を、マーキング部がチャック内側端部になるように上部チャックで挟むとともに、他方のマーキング部がチャック内端部になるように下部チャックで挟む。チャック間における試料の長さ寸法は、８０ｍｍとなる。なお、弾性材のギャザーとして効いている長さが１００ｍｍより短い場合は、ギャザーとして効いている弾性材の長さうち最も短い長さより２０ｍｍ短い長さをチャック間における試料の長さに設定する。初期のチャック間距離は初期に試料のテンションが掛からないようにするため、試料が縮んだときの長さ(自然長)よりも短く設定する。それらチャックが互いに離間するように試料を１００ｍｍ／ｍｉｎの条件で上下方向へ引っ張り、試料を伸長する。
【００５７】
（３）弾性材を挟み込んだ資材がたるみなく伸長したときの試料のチャック間における長さ寸法を１００％として、試料のチャック間の長さ寸法が９０％になるまで試料を伸ばし、そのときの試料の伸長時応力を測定し、弾性材の伸長応力とする。すなわち上記本実施例では試料の１００％長さ寸法８０ｍｍに対して９０％の７２ｍｍまで試料を伸ばしたときの伸長時応力を測定する。
【００５８】
このように構成された吸収性物品の製造方法としては、例えば、吸収体の第１吸収層を成形する工程と、吸収体の第２吸収層を成形する工程と、第１吸収層と第２吸収層とを合体させる工程と、ベルトコンベア等で吸収体等を搬送し、搬送する過程で表面シート等のシート材と接合する工程と、を含む方法によって吸収性物品を製造することができる。なお、その他の工程は、公知の製造方法に従って製造し得る。
【００５９】
また、第１吸収層と第２吸収層の両方に、中央スリットやサイドスリットを設けた場合、第１吸収層と第２吸収層とを重ね合わせるときの位置ずれが生じることがある。例えば、幅方向に位置ずれが生じると、左右に配置された一対のサイドスリットの幅が狭くなり、規則的な変形ができなくなったり、左右アンバランスな吸収体となり、吸収性や装着感に悪影響を及ぼしたりするおそれがある。しかし、第１吸収層と第２吸収層のうちいずれか一方に、中央スリットやサイドスリットを設けることにより、サイドスリット等の位置ずれを防止できる。
【００６０】
なお、上述した使い捨ておむつ１を構成する各部材は、例えば、特開２００６−３４６４３９号公報に記載された材料を用いてもよい。
【００６１】
（２）脚回り開口部の形状
図５は、図２に示す展開平面図における脚回り開口部の部分拡大図である。脚回り開口部９は、吸収体４０よりも幅方向外側の領域において後方に向かうにつれて幅方向外側に向かう傾斜部９Ｃを有する。傾斜部９Ｃは、平面視にて曲線形状である。外装体１Ｂの縁部は、股下領域において吸収体よりも幅方向外側に延出している。
【００６２】
外装体１Ｂの幅方向外側端部は、吸収体が配置された吸収体配置領域（平面視において吸収体と重なる領域）において、吸収性本体１Ａよりも幅方向内側に凹んで配置されている。当該領域においては、吸収体の幅方向外側端部が直線状の脚回り開口部９を形成している。すなわち、脚回り開口部９は、股下領域における外装体１Ｂの幅方向外側端部から幅方向内側に向かう縁部によって構成される傾斜部９Ｃと、吸収性本体１Ａの幅方向外側の縁部によって構成される前後方向に沿った平行部９Ｓと、によって構成されている。
【００６３】
脚回り開口部９は、着用者の脚回りに密着する。幅方向において脚回り開口部９の間には、吸収体４０が配置されている。着用者が使い捨ておむつ１を着用した状態では、一対の脚回り開口部９がそれぞれ着用者の脚回りに沿って配置され、その間の吸収体４０が、脚回り開口部によって幅方向外側に引っ張られ、着用者の股間に対向した状態が維持される。
【００６４】
吸収性本体１Ａよりも幅方向外側の脚回り開口部は、外装体１Ｂの縁部によって構成されており、外装体１Ｂの縁部に沿って吸収体が引き上げられる。外装体の縁部７が、吸収体の幅端部を跨がっているため、外装体の縁部で吸収体を着用者側に引き上げることができる。
【００６５】
更に、吸収体と脚回り弾性材が重なっているため、脚回り弾性材によって吸収体を着用者側に引き上げることができる。よって、脚回り弾性材と外装体の端部とによって、吸収体を密着させ、フィット性を高め、漏れを低減できる。
【００６６】
（３）吸収体の構造
図６は、吸収体４０の平面図であり、図７は、吸収体４０の分解斜視図である。図６及び図７に示すように、吸収体４０は、第１吸収層４１と、第１吸収層４１よりも肌当接面側に配置される第２吸収層４２とを有する。第１吸収層４１は、着用者の非肌当接面側に位置し、第２吸収層４２は、着用者の肌当接面側に位置する。
【００６７】
吸収体４０は、股下領域Ｓ３と前胴回り領域Ｓ１とに跨がって配置されている。第１吸収層４１の前後方向の長さは、第２吸収層４２の前後方向の長さよりも長い。第１吸収層４１は、股下領域Ｓ３と前胴回り領域Ｓ１とに跨って配置され、第２吸収層４２は、股下領域Ｓ３内に配置されている。第２吸収層４２の幅方向の長さは、第１吸収層４１の幅方向の長さよりも長い。第１吸収層４１は、第２吸収層４２よりも幅方向外側に張り出している。
【００６８】
第１吸収層４１及び第２吸収層４２は、綿状パルプと高分子吸収性ポリマー（ＳＡＰ）とから構成されている。吸収体４０は、例えば、パルプ１００〜５００ｇ／ｍ２とＳＡＰ０〜５００ｇ／ｍ２とを混合させて形成することができる。本実施の形態に係る第１吸収層４１及び第２吸収層４２は、パルプ２６０ｇ／ｍ２とＳＡＰ１６０ｇ／ｍ２とを混合させて形成されている。
【００６９】
第１吸収層４１には、中央スリット４５と、一対のサイドスリット４６とが形成されている。中央スリット４５は、前後方向Ｌに沿って延在する縦長の形状を有し、中央股下領域Ｓ３２、前股下領域Ｓ３１及び後股下領域Ｓ３３に跨って形成されている。このように中央スリット４５を形成することにより、吸収体の幅方向中央部分を着用者側である内方向ＩＮに凸に曲がり易くすることができる。また、吸収体の前後方向への体液等の拡散性を高め、広い範囲において体液等を拡散させて、吸収性能を向上させることができる。
【００７０】
一対のサイドスリット４６は、中央スリット４５よりも幅方向外側にそれぞれ形成されている。サイドスリット４６は、前後方向Ｌに沿って延在する縦長の形状を有し、中央股下領域Ｓ３２に形成されている。サイドスリット４６は、外方向ＯＵＴに凸、つまり吸収体４０が中央スリット４５と逆の凸に曲がるように、前後方向Ｌに沿って吸収体４０に形成されている。
【００７１】
次いで、吸収体の変形態様について説明する。図８は、使い捨ておむつ１の着用状態を模式的に示す断面図（図２のＸ１−Ｘ’１線基準）である。図８に示すように、使い捨ておむつ１が着用されると、吸収体の股下領域Ｓ３は、着用者の股間に当てられる。着用者の脚等によって、吸収体には、幅方向外側から幅方向内側に向かって力が掛かる。幅方向外側から幅方向内側に向かって吸収体４０に力が掛かると、中央スリット４５とサイドスリット４６とを基点として吸収体４０が内方向と外方向とに変形する。使い捨ておむつ１の幅方向Ｗに沿った断面形状は、波状に変形し、吸収体４０の股下領域Ｓ３の中央股下領域Ｓ３２は、規則的に折り畳まれた状態となる。
【００７２】
このように、吸収体が折り畳まれることにより、吸収性能を確保するために吸収体の面積を大きくした場合であっても、股下領域Ｓ３の吸収体４０を適切に折り畳み、吸収体４０と排泄口とを密着させることができる。よって、本実施の形態に係る吸収体のように、股下領域において、外装体１Ｂの幅方向外側端部に対して吸収体４０を幅方向外側に延出して配置して、着用者の股下部に配置される吸収体の面積を増やすことができ、吸収性能を高めることができる。
【００７３】
股下領域に配置する吸収体の面積を増やすことにより、例えば、本実施の形態のように、吸収体の後側端部が股下領域内に配置され、吸収体の前後方向の長さが比較的短い形態であっても、吸収性能を高め、体液の漏れを抑制できる。
【００７４】
吸収体４０は、中央スリット４５によって内方向ＩＮに凸となった吸収体４０の頂面が着用者の股間部に当接する。中央スリット４５による凸状部分が形成される部分は、第２吸収層４２のみによって構成されており、比較的厚みが薄い。一方、中央スリットによる凸状部分とサイドスリットによる凸状部分との間は、第１吸収層４１と第２吸収層４２とが重なっており、比較的厚みが厚く、剛性が高い。中央スリットとサイドスリットとの間の剛性が高い部分によって中央スリットによる凸状部分を支持し、着用者側に向かう凸形状の安定性を向上させることができる。
【００７５】
また、着用者が両脚を閉じると、使い捨ておむつ１の断面形状は、吸収体の中央スリット及びサイドスリットを基点に折り畳まれ、互いに密着した状態で、股間部の下方においてコンパクトに配置される。よって、股間部近傍の違和感を抑制しつつ、吸収性能を確保することができる。
【００７６】
このとき、中央スリット４５によって形成される内方向への凸状部分は、着用者の股間部と当接するように位置する。一方、サイドスリット４６によって形成される外方向への凸状部分は、非肌当接面側に凸状であり、着用者の排泄口と当接し難い位置となる。
【００７７】
着用者の股間部において吸収体が密着しているので、肌伝いするような尿速の遅い尿が排出された場合であっても、体液の漏れを防止できる。また、折り畳まれた状態で、吸収体の肌から離れた部分の曲部においては、前後方向に延びる凹みが形成されるため、体液を前後方向外側へ拡散させることができ、横漏れを防止することができる。更に、サイド曲部は、凹部を形成するため、当該凹部に排泄物が入り込み易く、着用者の肌と排泄物が直接接触することを抑制できる。
【００７８】
中央曲部によって形成される凸状部分は、厚みが薄くかつ高さが高い。よて、使い捨ておむつ１を着用して吸収体４０が変形したときの断面形状は、非肌当接面側から肌当接面側に向かって狭くなる先細り形状である。股間部の狭い隙間に挿入され易くなり、排泄口と密着し易くなる。排尿口と吸収体とが密着するため、排泄された尿を迅速に吸収することができる。さらに、吸収体が着用者の股間部の隙間に収まり易く、違和感を与えにくい。また、着用者の股間部の肌に近い部分においては、吸収体の厚みが薄く、肌から遠い部分で厚みが厚くなるように折り畳まれるため、違和感なくフィットさせることができる。
【００７９】
次いで、第１吸収層４１と第２吸収層４２の詳細な構成について説明する。第１吸収層４１は、前股下領域Ｓ３１から中央股下領域Ｓ３２に向かって幅方向の長さが短くなり、かつ後股下領域Ｓ３３から中央股下領域Ｓ３２に向かって幅方向の長さが短くなっている。第１吸収層４１には、前股下領域Ｓ３１から中央股下領域Ｓ３２に向かって幅方向内側に凹んだ凹み部４１Ｎが形成されている。凹み部４１Ｎは、サイドスリット４６よりも前方に位置しており、変形抑制部として機能する。
【００８０】
サイドスリット４６よりも前方に凹み部４１Ｎが形成されているため、サイドスリット４６による変形を前胴回り領域Ｓ１に伝達し難くすることができる。よって、凹み部４１Ｎよりも前方において、吸収体４０が凸状に変形することを抑制し、吸収体４０を着用者の肌に沿わせて配置することができる。
【００８１】
第２吸収層４２は、略略砂時計型の形状である。第２吸収層は、前後方向における中央部分に位置し、かつ幅方向Ｗにおいて所定の幅を有する幅狭部４２Ｎと、幅狭部４２Ｎの前側に位置し、幅狭部よりも幅が長い前幅広部４２ＦＬと、幅狭部４２Ｎの後側に位置し、幅狭部よりも幅が長い後幅広部４２ＲＬと、を有している。幅狭部４２Ｎの側端、前幅広部４２ＦＬの側端、及び後幅広部４２ＲＬの側端は、曲線で結ばれており、第２吸収層４２は砂時計型の平面形状を有する。
【００８２】
第１吸収層４１と第２吸収層４２とは、厚さ方向Ｔに沿って押圧されることによって一体化している。なお、第１吸収層４１と第２吸収層４２とは、接着剤や熱融着などによって一体化されていてもよい。また、吸収体４０は、第１吸収層４１が非肌当接面側に位置し、第２吸収層４２が肌当接面側に位置しているが、第２吸収層４２が非肌当接面側に位置し、第１吸収層４１が肌当接面側に位置してもよい。
【００８３】
幅方向において、幅狭部４２Ｎの外側端部と、サイドスリット４６の内側端部とは一致している。このような構成によれば、サイドスリット４６の幅方向端部に吸収体４０の剛性差が形成され、サイドスリット４６を基点に安定的に吸収体を屈曲させることができる。
【００８４】
更に、図２に示すように、幅方向において、セカンドシート１５の端部は、サイドスリットよりも内側に位置している。セカンドシート１５が配置された領域と、セカンドシート１５が配置されていない領域（セカンドシート１５の幅方向の端部よりも幅方向外側の領域）は、剛性が異なる。セカンドシートの有無による剛性差を設けることにより、サイドスリット４６によって構成されるサイド曲部を基点に曲がり易くなる。
【００８５】
また、後幅広部４２ＲＬの幅方向端部は、サイドスリットよりも後方において、サイドスリットの幅方向内側から幅方向外側に向かって延出している。この後幅広部の幅方向端部は、変形抑制部４２Ｐとして機能している。
【００８６】
変形抑制部４２Ｐは、サイドスリットよりも後方に配置されている。変形抑制部４２Ｐは、第２吸収層４２の幅狭部４２Ｎから後方に向かうにつれて幅方向内側から幅方向外側に向かって延びるように配置されている。変形抑制部４２Ｐよりも前方の領域は、第１吸収層４１のみが配置されているが、変形抑制部４２Ｐよりも後方の領域は、第１吸収層４１と第２吸収層が重なっており、変形抑制部で吸収体の剛性差が生じる。よって、変形抑制部４２Ｐよりも前方における変形が、後方に伝達し難くなる。
【００８７】
サイドスリット４６の前方と後方に、変形抑制部を設けることにより、股下領域に吸収体を変形させた状態で配置する一方、その変形を後胴回り領域及び前胴回り領域に伝わることを抑制できる。更に、吸収体の前胴回り領域Ｓ１及び後胴回り領域Ｓ２が変形した場合であっても、その変形が股下領域に伝達し難くなるため、股下領域Ｓ３において吸収体４０を安定的に凸状に折り曲げることができる。
【００８８】
また、吸収体４０の保水量は、３００ｇ以上である。本実施の形態における「保水量」とは、吸収体が吸収した水分を保持できる最大の水量を意味し、具体的には、１５０Ｇで脱水した場合であっても保持できる水量である。保水量は、具体的には次のような測定方法により求めることができる。
【００８９】
先ず、使用器具として、生理食塩水（０.９％ＮａＣｌ溶液）、アクリル板（目安寸法３２０×５４５ｍｍ、厚み３ｍｍ〜５ｍｍ、重量４００ｇ〜６００ｇ）、脱水機（１５０Ｇ）、金網（標準金網：開孔５φ、孔間距離５ｍｍ）を準備する。
【００９０】
次いで、測定対象の試料を採取する。具体的には、おむつ１枚の重量を測定した後、ウエストギャザー（ＷＧ）、レッグギャザー（ＬＧ）、立体ギャザー（ＬＳＧ）を切断して、おむつを平にする。切断の際には、吸収体まで切断しないように十分注意する。また、試料の採取数は、ｎ＝５とする。
【００９１】
手順としては、先ず、おむつの吸収体を下に向けた状態で生理食塩水約２０Ｌ中に手で押しながら浸漬させる。生理食塩水は、おむつ６枚まで測定が可能であり、それ以上は濃度が変化してしまうため、交換が必要である。おむつを浸漬させた後、その状態で３０分間放置する。３０分経過後、おむつを取り出し、外装体１Ｂが内側になるように折り返して、ウエストギャザー３をクリップで挟み、竿につるす。この状態で１０分間放置する。１０分経過後、おむつの重量を測定し、初期の重量との差から、吸水量が求まる。
【００９２】
次いで、上記の処置を施して吸水量を求めたおむつ（３枚まで）を、脱水機内に入れ、吸収体を外に向けておむつ同士が重ならないように並べ、９０秒間、１５０Ｇの脱水を行う。脱水後、おむつの重量を測定し、初期の重量との差から、保水量が求まる。
【００９３】
（４）変形例
次に、変形例に係る使い捨ておむつについて、図面を参照しながら説明する。なお、上述した実施形態に係る使い捨ておむつ１と同一部分には同一の符号を付して、相違する部分を主として説明する。
【００９４】
図９は、変形例に係る使い捨ておむつの平面図である。図１０は、図９に示すＸ３-Ｘ’３線に沿った使い捨ておむつの前後方向断面図である。変形例に係る外装体１Ｂは、前側外装トップシート７０Ｆ、後側外装トップシート７０Ｒ、前側外装バックシート８０Ｆ、後側外装バックシート８０Ｒ、及び外装センターシートを有する。
【００９５】
外装バックシートは、前側外装トップシート７０Ｆに接合される前側外装バックシート８０Ｆと、後側外装トップシート７０Ｒに接合される後側外装バックシート８０Ｒと、を有する。外装センターシート３５は、前後方向において、前側外装トップシート７０Ｆの後側端部と後側外装トップシート７０Ｒの前側端部との間に位置し、厚み方向において、前側外装トップシート７０Ｆと吸収体裏面シート３０との間、及び後側外装トップシート７０Ｒと吸収体裏面シート３０との間に位置する。
【００９６】
外装センターシート３５を備えることにより、前側外装トップシート７０Ｆ及び前側外装バックシート８０Ｆと、後側外装トップシート７０Ｒ及び後側外装バックシート８０Ｒと、を繋ぐことができる。よって、外装トップシート及び外装バックシートが前後方向に離間する形態において、吸収性本体１Ａがむき出しになることを防止することができる。更に、製造過程において、離間した前側の外装シートと後側の外装シートとを連結した状態で、脚回り開口部を形成したり、吸収性本体１Ａと貼り合わせたりすることができる。
【００９７】
また、脚回り弾性材５Ｒの第２伸縮部５２は、吸収体配置領域の幅方向中央において分断されている。このように後脚回り弾性材５Ｒが分断している場合であっても、脚回り弾性材５Ｒは、吸収体の幅方向端部を跨がっているため、脚回り開口部９と後脚回り弾性材５Ｒとによって、吸収性本体１Ａの後側端部を引き上げることが可能となる。
【００９８】
（５）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００９９】
例えば、上述した実施形態では、パンツ型の使い捨ておむつとして説明したが、本発明は、これに限定されるものではなく、オープン型の使い捨ておむつ、失禁用パッド及び生理用ナプキンなどに適用してもよい。
【０１００】
オープン型の使い捨ておむつにおいては、後胴回り領域には、ファスニングテープ等の係止部材が設けられ、前胴回り領域には、係止部材が引っかかるターゲット部が設けられている。
【０１０１】
また、吸収性物品は、中央曲部及びサイド曲部を備えていてもよいし、少なくともいずれか一方を備えていてもよいし、中央曲部及びサイド曲部を備えていなくてもよい。
【０１０２】
更に、本実施の形態の中央曲部及びサイド曲部は、吸収体に形成されたスリットによって構成されているが、中央曲部及びサイド曲部の構成は、スリットに限られない。中央曲部及びサイド曲部は、前後方向に伸縮する弾性材によって構成されていてもよいし、吸収体を厚み方向に圧縮した圧搾部によって構成されていてもよいし、吸収体において周囲の目付よりも低く構成された低目付領域によって構成されていてもよい。更に、吸収体にスリットを形成し、かつスリットに重なるように前後方向に伸縮する弾性材を設け、スリットと弾性材とによって中央曲部及びサイド曲部を構成してもよい。
【０１０３】
また、股下弾性材１２は、必ずしも設けられていなくてもよい。脚回り弾性材は、幅方向に連続して設けられていてもよいし、一部が切断されており、幅方向に不連続に設けられていてもよい。
【０１０４】
本実施形態では、吸収体４０は、第１吸収層４１と第２吸収層４２との２吸収層構造であるが、本発明に係る着用物品の吸収体４０は、１吸収層のみによって構成されていてもよいし、３層以上で構成されていてもよい。
【０１０５】
このように、本発明は、ここでは記載していない様々な実施の形態などを含むことは勿論である。従って、本発明の技術的範囲は、上述の説明から妥当な特許請求の範囲に係る発明特定事項によってのみ定められるものである。
【符号の説明】
【０１０６】
１…使い捨ておむつ（吸収性物品）      
１Ａ…吸収性本体
１Ｂ…外装体
３…ウエストギャザー
３Ａ…ウエスト弾性材
４，４’…前胴回り側縁部
５…レッグギャザー
５Ｆ…前脚回り弾性材
５Ｒ…後脚回り弾性材
６，６’…後胴回り縁部
７…外装体の縁部
８…腰回り開口部
９…脚回り開口部
９Ｃ…傾斜部
１０…表面シート
１１…接合部
１２…股下弾性材
１５…セカンドシート
３０…吸収体裏面シート
３０Ｆ…前側端部
３０Ｒ…後側端部
３２…防漏サイドシート
３３…防漏弾性材
３５…外装センターシート
４０…吸収体
４０Ｆ…前側端部
４０Ｒ…後側端部
４１…第１吸収層
４１Ｎ…凹み部
４２…第２吸収層
４２ＦＬ…前幅広部
４２Ｎ…幅狭部
４２ＲＬ…後幅広部
４２Ｐ…変形抑制部
４５…中央スリット
４６…サイドスリット
５１…第１伸縮部
５２…第２伸縮部
７０Ｆ…前側外装トップシート
７０Ｒ…後側外装トップシート
８０…外装バックシート
８０Ｆ…前側外装バックシート
８０Ｒ…後側外装バックシート
Ｓ１…前胴回り領域
Ｓ２…後胴回り領域
Ｓ３…股下領域
Ｓ３１…前股下領域
Ｓ３２…中央股下領域
Ｓ３３…後股下領域
Ｌ…前後方向
ＩＮ…内方向
ＯＵＴ…外方向
Ｔ…厚み方向
Ｗ…幅方向
【図１】
0005947610.tif 000002
【図２】
0005947610.tif 000003
【図３】
0005947610.tif 000004
【図４】
0005947610.tif 000005
【図５】
0005947610.tif 000006
【図６】
0005947610.tif 000007
【図７】
0005947610.tif 000008
【図８】
0005947610.tif 000009
【図９】
0005947610.tif 000010
【図１０】
0005947610.tif 000011